(57)【特許請求の範囲】
【請求項１】
光源と、この光源を収納し、光源からの光を頭部の発光窓から発するポールと、前記発光窓の左右両側に設けられた翼体とを具備しており、前記翼体は、吹き付ける風に対して常に正対すべく回動可能にポールに取り付けられていることを特徴とする着雪防止型スノーポール。
【請求項２】
光源と、この光源を収納し、光源からの光を頭部の発光窓から発するポールと、吹き付ける風に対して常に下流側に位置すべく、ポールに対して回動可能に取り付けられた風切りフードとを具備しており、前記風切りフードは、平面視略二等辺三角形状に形成されていることを特徴とする着雪防止型スノーポール。
【請求項３】
光源と、この光源を収納し、光源からの光を頭部の発光窓から発するポールと、このポールに取り付けられ、吹き付ける風によってポールの軸芯を中心として回動する回転羽根体と、この回転羽根体を構成する少なくとも２枚の板材のポール側の縁部に取り付けられ、回転によって前記発光窓を含むポールの周面を拭うブラシとを具備しており、前記板材は、透光性を有する素材からなり、縦長の長方形を横方向に湾曲させていることを特徴とする着雪防止型スノーポール。
【発明の詳細な説明】
【０００  】
【発明の属する技術分野】
本発明は、着雪防止型スノーポールに関する。
【０００２】
【従来の技術】
スノーポールとは、雪国の道路脇に一定間隔で設置され、積雪があった場合でも光源からの光が発せられるポールの頭部は雪に埋もれないようにしたものであるこのスノーポールは、光源と、この光源を収納し、光源からの光を頭部の発光窓から発するポールとを有している。かかるスノーポールは積雪のある道路の路肩を示すものである。
【０００３】
また、中央分離帯にも同様のスノーポールが設置されている。
【０００４】
【発明が解決しようとする課題】
しかしながら、このスノーポールが設置されるような場所は、吹雪が発生しやすい場所でもあるため、発光窓に吹き付ける雪が付着して発光窓からの光が走行する車両のドライバーから見えないようになることがある。発光窓からの光が見えないと、路肩や中央分離帯を確認することが困難となるので非常に危険である。
【０００５】
本発明は上記事情に鑑みて創案されたものであって、吹雪が発生した場合であっても、発光窓に雪が付着しないようにした着雪防止型スノーポールを提供することを目的としている。
【０００６】
【課題を解決するための手段】
本発明に係る第１の着雪防止型スノーポールは、光源と、この光源を収納し、光源からの光を頭部の発光窓から発するポールと、前記発光窓の左右両側に設けられた翼体とを備えており、前記翼体は、吹き付ける風に対して常に正対すべく回動可能にポールに取り付けられている。
【０００７】
本発明に係る第２の着雪防止型スノーポールは、光源と、この光源を収納し、光源からの光を頭部の発光窓から発するポールと、吹き付ける風に対して常に下流側に位置すべく、ポールに対して回動可能に取り付けられた風切りフードとを備えており、前記風切りフードは、平面視略二等辺三角形状に形成されている。
【０００８】
本発明に係る第３の着雪防止型スノーポールは、光源と、この光源を収納し、光源からの光を頭部の発光窓から発するポールと、このポールに取り付けられ、吹き付ける風によってポールの軸芯を中心として回動する回転羽根体と、この回転羽根体を構成する少なくとも２枚の板材のポール側の縁部に取り付けられ、回転によって前記発光窓を含むポールの周面を拭うブラシとを備えており、前記板材は、透光性を有する素材からなり、縦長の長方形を横方向に湾曲させている。
【０００９】
【発明の実施の形態】
図１は本発明の第１〜第３の実施の形態に係る着雪防止型スノーポールに共通する内部構造を示す概略的断面図、図２は本発明の第１の実施の形態に係る着雪防止型スノーポールの図面であって、同図（Ａ）は要部の概略的平面図、同図（Ｂ）は雪が付着しない原理を説明する概略的平面図、図３は本発明の第２の実施の形態に係る着雪防止型スノーポールの図面であって、同図（Ａ）は要部の概略的平面図、図４は本発明の第３の実施の形態に係る着雪防止型スノーポールの図面であって、同図（Ａ）は要部の概略的斜視図、同図（Ｂ）は雪が付着しない原理を説明する概略的平面図である。
【００１０】
本発明の第１の実施の形態に係る着雪防止型スノーポール１００Ｂは、図１及び図２に示すように、光源１１０Ｂと、この光源１１０Ｂを収納し、光源１１０Ｂからの光を頭部の発光窓１３０Ｂから発するポール１２０Ｂと、前記発光窓１３０Ｂの左右両側に設けられた翼体１５０Ｂとを備えており、前記翼体１５０Ｂは、吹き付ける風に対して常に正対すべく回動可能にポール１２０Ｂに取り付けられている。
【００１１】
前記光源１１０Ｂは、複数個の発光ダイオードランプ１１１Ｂと、この発光ダイオードランプ１１１Ｂが実装された基板１１２Ｂとから構成される。
【００１２】
前記ポール１２０Ｂは上端側の頭部の一面に開口１２１Ｂが形成されている。しかも、その開口１２１Ｂには透光性を有するカバー１２２Ｂが水密に嵌め込まれている。このカバー１２２Ｂが嵌め込まれた開口１２１Ｂが発光窓１３０Ｂとなるのである。また、このポール１２０Ｂの内部には、前記光源１１０Ｂに対して電流を供給するためのトランス等の電子部品や、点減点灯を行うための点減制御部（図示省略）が設けられている。
【００１３】
かかるポール１２０Ｂは、着雪防止型スノーポール１００Ｂが設置される場所の積雪量と道路から除雪される雪の量とに応じてその長さが決定されている。すなわち、道路上の雪を除雪した場合には、路肩に除雪された雪が積み上げられるため、単に積雪量のみによって長さを決定したのでは、除雪された雪に埋もれてしまうことがあるためである。
【００１４】
一方、本発明の第１の実施の形態に係る着雪防止型スノーポール１００Ｂにおける翼体１５０Ｂは、２枚の縦長の長方形に形成された板材１５１Ｂと、この板材１５１Ｂの上端縁部を連結する連結体１５２Ｂと、この連結体１５２Ｂの中央において下側に突出する軸部１５３Ｂとを有している。
【００１５】
前記板材１５１Ｂは、透光性を有する合成樹脂等から構成されている。そして、この２枚の板材１５１Ｂの間の角度は、例えば９０°に設定されている。また、前記連結体１５２Ｂは、ポール１２０Ｂの直径より若干大きい長さ寸法を有している。さらに、前記軸部１５３Ｂは、ポール１２０Ｂの縦方向の軸芯と一致させて頭頂部に軸支される。このため、翼体１５０Ｂは、ポール１２０Ｂに対して軸部１５３Ｂを中心として回動可能となっているのである。なお、この２枚の板材１５２Ｂの間の角度は、９０°には限定されず、４０°以上１８０°未満であればよい。
【００１６】
例えば、この着雪防止型スノーポール１００Ｂであると、図２（Ｂ）に示すように、何れの方向から風が吹き付けても、翼体１５０Ｂは必ず吹き付ける風Ｗ３に対して正対する。このため、何れの方向から吹雪が吹き付けても、よどみ点は発生しない。従って、発光窓１３０Ｂを含むポール１２０Ｂの頭部には雪の付着は発生しない。
【００１７】
なお、前記板材１５１Ｂは透光性を有する合成樹脂等から構成されているので、たとえ板材１５１Ｂが発光窓１３０Ｂの上に被さったとしても、発光窓１３０Ｂから発せられる光か遮られることはない。
【００１８】
また、この着雪防止型スノーポール１００Ｂは、発光窓１３０Ｂが道路に対して平行になるように設置するのではなく、道路側を若干向くように設置される。発光窓１３０Ｂが道路と平行に設置されたのでは道路上を走行する車両のドライバーからは、発光窓１３０Ｂから発せられる光が視認できなくなるためである。
【００１９】
次に、本発明の第２の実施の形態に係る着雪防止型スノーポール１００Ｅについて図３を参照しつつ説明する。この本発明の第２の実施の形態に係る着雪防止型スノーポール１００Ｅは、風切りフード１６０Ｅがポール１２０Ｅに固定されていない点に特徴がある。
【００２０】
この本発明の第２の実施の形態に係る着雪防止型スノーポール１００Ｅは、光源１１０Ｅと、この光源１１０Ｅを収納し、光源１１０Ｅからの光を頭部の発光窓１３０Ｅから発するポール１２０Ｅと、吹き付ける風に対して常に下流側に位置すべく、ポール１２０Ｅに対して回動可能に取り付けられた風切りフード１６０Ｅとを備えており、前記風切りフード１６０Ｅは、平面視略二等辺三角形状に形成されている。
【００２１】
前記光源１１０Ｅ及びポール１２０Ｅは、上述した第１の実施の形態に係る着雪防止型スノーポール１００Ｂにおける光源１１０Ｂ及びポール１２０Ｂと同一である。
【００２２】
前記風切りフード１６０Ｅは、図３に示すように、平面視略二等辺三角形状の角柱状であって、等しい二辺１６１Ｅによって構成される角１６２Ｅの部分があり、長さが異なる一辺の部分がポール１２０Ｅの周面に沿うような凹部１６３Ｅとなったフード本体１６４Ｅと、このフード本体１６４Ｅの頭頂部に取り付けられるアーム部１６５Ｅと、このアーム部１６５Ｅの先端に下向きに設けられた軸部１６６Ｅとを有している。
【００２３】
前記アーム部１６５Ｅは、ポール１２０Ｅの頭頂部の半径より若干長い寸法に設定されているため、前記軸部１６６Ｅは、ポール１２０Ｅの頭頂部に軸支される。従って、風切りフード１６０Ｅのフード本体１６４Ｅは、ポール１２０Ｅに対して片持ち状態で軸支されることになる。
【００２４】
かかる風切りフード１６０Ｅを有する着雪防止型スノーポール１００Ｅであると、何れの方向から風が吹き付けても、風切りフード１６０Ｅは必ず吹き付ける風Ｗ３の下流側に位置する。このため、何れの方向から吹雪が吹き付けても、カルマン渦Ｃは発生しない。従って、吹き付ける風の下流側においてポール１２０Ｅへの雪の付着は発生しない。このため、カルマン渦Ｃによってポール１２０Ｅに付着した雪から発光窓１３０Ｅにまで及ぶ雪の付着は防止される。
【００２５】
次に、本発明の第３の実施の形態に係る着雪防止型スノーポール１００Ｆについて図４を参照しつつ説明する。
【００２６】
この本発明の第３の実施の形態に係る着雪防止型スノーポール１００Ｆは、光源１１０Ｆと、この光源１１０Ｆを収納し、光源１１０Ｆからの光を頭部の発光窓１３０Ｆから発するポール１２０Ｆと、このポール１２０Ｆに取り付けられ、吹き付ける風によってポール１２０Ｆの軸芯を中心として回動する回転羽根体１７０Ｆと、この回転羽根体１７０Ｆを構成する少なくとも２枚の板材１７１Ｆのポール１２０Ｆ側の縁部に取り付けられ、回転によって前記発光窓１３０Ｆを含むポール１２０Ｆの周面を拭うブラシ１７２Ｆとを備えており、前記板材１７１Ｆは、透光性を有する素材からなり、縦長の長方形を横方向に湾曲させている。
【００２７】
前記光源１１０Ｆ及びポール１２０Ｆは、上述した第１及び第２の実施の形態に係る着雪防止型スノーポール１００Ｂ、１００Ｅにおける光源１１０Ｂ、１１０Ｆ及びポール１２０Ｂ、１２０Ｆと同一である。
【００２８】
前記回転羽根体１７０Ｆは、縦長の長方形を横方向に湾曲させてなる２枚の板材１７１Ｆと、この板材１７１Ｆの上端縁部を連結する連結体１７３Ｆと、この連結体１７３Ｆの中央において下側に突出する軸部１７４Ｆと、前記板材１７１Ｆのポール１２０Ｆ側の縁部に取り付けられたブラシ１７２Ｆとを有している。
【００２９】
前記板材１７１Ｆは、透光性を有する合成樹脂等から構成されている。そして、この２枚の板材１７１Ｆの間の角度は、１８０°に設定されている。また、前記連結体１７３Ｆは、ポール１２０Ｆの直径より若干大きい長さ寸法を有している。さらに、前記軸部１７４Ｆは、ポール１２０Ｆの縦方向の軸芯と一致させて頭頂部に軸支される。このため、回転羽根体１７０Ｆは、ポール１２０Ｆに対して軸部１７４Ｆを中心として回動可能となっているのである。
【００３０】
また、前記板材１７１Ｆの長さ寸法は、発光窓１３０Ｆの縦方向の寸法より若干大きく、発光窓１３０Ｆの全面をブラシ１７２Ｆで拭うことができるようになっている。なお、前記ブラシ１７２Ｆは発光窓１３０Ｆ等を傷つけないが、雪の付着は防止する素材、例えば細いワイヤ等から構成されている。
【００３１】
例えば、この着雪防止型スノーポール１００Ｆであると、何れの方向から風が吹き付けても、回転羽根体１７０Ｆは必ず回転する。すると、板材１７１Ｆに取り付けられたブラシ１７２Ｆは、発光窓１３０Ｆを含んだポール１２０Ｆの周面を拭う。このため、ポール１２０Ｆの発光窓１３０Ｆ或いは周面に雪が付着しても回転するブラシ１７２Ｆによって拭われるので、発光窓１３０Ｆが雪で覆われることはない。
【００３２】
なお、前記板材１７１Ｆは透光性を有する合成樹脂等から構成されているので、たとえ板材１７１Ｆが発光窓１３０Ｆの上に被さったとしても、発光窓１３０Ｆから発せられる光か遮られることはない。逆に、板材１７１Ｆが回転によって発光窓１３０Ｆの上を通過するので、走行する車両のドライバーからみると、発光窓１３０Ｆからの光があたかも強点灯と弱点灯とを繰り返すように視認されるのでより強い注意を促すことができる。
【００３３】
また、板材１７１Ｆが不透光な素材から構成されていると、走行する車両のドライバーからみると、発光窓１３０Ｆからの光があたかも点減しているかのように視認されるのでより強い注意を促すことができる。
【００３４】
さらに、上述した第６の実施の形態では、回転羽根体１７０Ｆを構成する板材１７１Ｆは２枚であるとしたが、３枚以上であってもよい。ただし、板材１７１Ｆが何枚であっても、板材１７１Ｆは等間隔で配置されることがスムーズな回転のために重要である。
【００３５】
【発明の効果】
本発明に係る第１の着雪防止型スノーポールは、光源と、この光源を収納し、光源からの光を頭部の発光窓から発するポールと、前記発光窓の左右両側に設けられた翼体とを備えており、前記翼体は、吹き付ける風に対して常に正対すべく回動可能にポールに取り付けられている。
【００３６】
かかる着雪防止型スノーポールであると、何れの方向から雪を含んだ風が吹き付けても翼体に沿ってスムーズに流れるため、雪の付着の原因となるみどみ点が発生しない。従って、発光窓に雪が付着しないので、常に発光窓からの光が走行する車両のドライバーから見えるので安全である。
【００３７】
本発明に係る第２の着雪防止型スノーポールは、光源と、この光源を収納し、光源からの光を頭部の発光窓から発するポールと、吹き付ける風に対して常に下流側に位置すべく、ポールに対して回動可能に取り付けられた風切りフードとを備えており、前記風切りフードは、平面視略二等辺三角形状に形成されている。
【００３８】
かかる着雪防止型スノーポールであると、何れの方向から風が吹き付けても、風切りフードは必ず吹き付ける風の下流側に位置する。このため、何れの方向から吹雪が吹き付けても、カルマン渦は発生しない。従って、吹き付ける風の下流側においてポールへの雪の付着は発生しない。このため、カルマン渦によってポールに付着した雪から発光窓にまで及ぶ雪の付着は防止される。
【００３９】
本発明に係る第３の着雪防止型スノーポールは、光源と、この光源を収納し、光源からの光を頭部の発光窓から発するポールと、このポールに取り付けられ、吹き付ける風によってポールの軸芯を中心として回動する回転羽根体と、この回転羽根体を構成する少なくとも２枚の板材のポール側の縁部に取り付けられ、回転によって前記発光窓を含むポールの周面を拭うブラシとを備え、前記板材は、透光性を有する素材からなり、縦長の長方形を横方向に湾曲させている。
【００４０】
かかる着雪防止型スノーポールであると、何れの方向から風が吹き付けても、回転羽根体は必ず回転する。すると、板材に取り付けられたブラシは、発光窓を含んだポールの周面を拭う。このため、ポールの発光窓或いは周面に雪が付着しても回転するブラシによって拭われるので、発光窓が雪で覆われることはない。
【図面の簡単な説明】
【図１】  本発明の第１〜第３の実施の形態に係る着雪防止型スノーポールに共通する内部構造を示す概略的断面図である。
【図２】  本発明の第１の実施の形態に係る着雪防止型スノーポールの図面であって、同図（Ａ）は要部の概略的平面図、同図（Ｂ）は雪が付着しない原理を説明する概略的平面図である。
【図３】  本発明の第２の実施の形態に係る着雪防止型スノーポールの図面であって、同図（Ａ）は要部の概略的平面図である。
【図４】  本発明の第３の実施の形態に係る着雪防止型スノーポールの図面であって、同図（Ａ）は要部の概略的斜視図、同図（Ｂ）は雪が付着しない原理を説明する概略的平面図である。
【符号の説明】
１１０Ｂ    光源
１２０Ｂ    ポール
１３０Ｂ    発光窓
１５０Ｂ    翼体
【図１】
0003793459.tif 000002
【図２】
0003793459.tif 000003
【図３】
0003793459.tif 000004
【図４】
0003793459.tif 000005